(57)【特許請求の範囲】
【請求項１】
負荷機器を動作させるための複数のボタンを備えた無線スイッチと、前記ボタンの操作に応答して前記負荷機器を制御するためのコントロールユニットとを備え、
前記無線スイッチに、前記ボタンが操作されたときに電力を発生する発電部と、前記発電部が発生した電力を用いて前記ボタンに対応する負荷機器の識別信号を送信する通信部とを設け、
前記コントロールユニットに、前記複数のボタンが個別に操作されたときに、各ボタンに対応する前記識別信号に基づいて前記負荷機器を個別に制御し、前記複数のボタンが同時に操作されたときに、各ボタンに対応する前記識別信号の組み合わせに基づいて複数の負荷機器を一斉に制御する制御部を設け、
前記制御部が、複数の前記識別信号の組み合わせに関連付けて複数の負荷機器の動作パターンを記憶する手段を備えたことを特徴とする無線スイッチシステム。
【発明の詳細な説明】
【技術分野】
【０００１】
本発明は、バッテリを持たない無線スイッチのボタン操作に応答して負荷機器を制御する無線スイッチシステムに関する。
【背景技術】
【０００２】
照明機器用の無線スイッチシステムとして、従来、無線スイッチに複数のボタンを設け、各ボタンに別々の照明機器を割り当て、１つのボタンの操作により１回路の照明機器をＯＮ／ＯＦＦし、複数回路の照明機器をＯＮ／ＯＦＦする場合は、同数のボタンを続けて操作するシステムが知られている。また、複数回路の照明機器を１つの専用ボタンに関連付け、予め設定した点灯パターンで一斉に制御するシステムも知られている。
【０００３】
特許文献１には、バッテリレスの無線スイッチに照明機器を動作させるための複数のボタンを設け、受信機にボタンの操作に応答して照明機器を制御するためのユーザインターフェースとプロセッサーとを設けたシステムが記載されている。そして、無線スイッチで複数のボタンが同時に操作されたときに、プロセッサーが複数の照明機器をユーザインターフェースで予め設定された特定の点灯パターンで制御するようになっている。
【先行技術文献】
【特許文献】
【０００４】
【特許文献１】特表２０１１−５１３９３７号公報
【発明の概要】
【発明が解決しようとする課題】
【０００５】
ところが、従来の無線スイッチシステムは、複数のボタンが同時に操作されたときに、制御対象となる複数の照明機器を特定するために、無線スイッチが各ボタンに予め関連付けられた識別信号とは異なる専用信号を送信していた。このため、無線スイッチに識別信号と専用信号を別々に処理するための制御回路が必要になるうえ、この回路がバッテリレス無線スイッチの限られた電力を消費するという問題点があった。
【０００６】
そこで、本発明の目的は、複数機器の同時操作が可能なバッテリレスの無線スイッチを簡単かつ省電力に構成できるシステムを提供することにある。
【課題を解決するための手段】
【０００７】
上記課題を解決するために、本発明の無線スイッチシステムは、負荷機器を動作させるための複数のボタンを備えた無線スイッチと、ボタンの操作に応答して負荷機器を制御するためのコントロールユニットとを備え、無線スイッチに、ボタンが操作されたときに電力を発生する発電部と、発電部が発生した電力を用いてボタンに対応する負荷機器の識別信号を送信する通信部とを設け、コントロールユニットに、複数のボタンが個別に操作されたときに、各ボタンに対応する識別信号に基づいて負荷機器を個別に制御し、複数のボタンが同時に操作されたときに、各ボタンに対応する識別信号の組み合わせに基づいて複数の負荷機器を一斉に制御する制御部を設けたことを特徴とする。
【０００８】
また、本発明の無線スイッチシステムは、コントロールユニットの制御部が、複数の識別信号の組み合わせに関連付けて複数の負荷機器の動作パターンを記憶する手段を備えたことを特徴とする。
【発明の効果】
【０００９】
本発明の無線スイッチシステムによれば、複数のボタンが同時に操作されたときに、各ボタンに対応する識別信号をコントロールユニット側の制御部で処理するので、無線スイッチに制御回路を設ける必要がなく、制御回路が電力を消費することもなく、バッテリレスの無線スイッチを簡単かつ省電力に構成できるという効果がある。
【図面の簡単な説明】
【００１０】
【図１】本発明の一実施形態を示す無線スイッチシステムの概観図である。
【図２】図１のシステムの回路構成を示すブロック図である。
【発明を実施するための形態】
【００１１】
以下、本発明の実施形態を図面に基づいて説明する。図１に示すように、この実施形態の無線スイッチシステム１は、無線スイッチ２とコントロールユニット３とを備え、負荷機器としての複数の照明機器（Ｌ１〜Ｌ４）４を制御する。照明機器４はコントロールユニット３に接続され、コントロールユニット３が無線スイッチ２に無線接続されている。無線スイッチ２の外面には、照明機器４をＯＮ／ＯＦＦする２つのボタンＡ，Ｂが設けられている。
【００１２】
図２に示すように、無線スイッチ２の内部には、ボタンＡ，Ｂが操作されたときに電力を発生する発電部５と、ボタンＡ，Ｂに予め関連付けられた照明機器４の識別信号を出力する通信部６とが設けられている。発電部５には、ボタンＡ，Ｂが押されたときの物理力で発電する圧電素子等が用いられている。通信部６は、発電部５が発生した電力を用い、押されたボタンＡ，Ｂに対応する照明機器４を特定するための識別信号を送信する。
【００１３】
コントロールユニット３には、照明回路を開閉するリレーＲ１〜Ｒ４と、リレーＲ１〜Ｒ４を駆動するリレー駆動部８と、無線スイッチ２から識別信号を受信する受信部９と、受信した信号に基づいてリレー駆動部８を制御する制御部１０とが設けられている。そして、制御部１０は、ボタンＡ，Ｂが別々に操作されたときに照明機器４の個別制御を行い、ボタンＡ，Ｂが同時に操作されたときに照明機器４の一斉制御を行うようになっている。
【００１４】
例えば、個別制御に際し、ボタンＡが押されたときに、リレーＲ１を駆動して照明機器Ｌ１（図１参照）を点灯させ、ボタンＢが押されたときに、リレーＲ２を駆動して照明機器Ｌ２を点灯させる。一斉制御にあたっては、ボタンＡ，Ｂが所定時間内に同時に押されたときに、リレーＲ１〜Ｒ４を駆動して照明機器Ｌ１〜Ｌ４を一斉に点灯させる。ボタンＡ，Ｂが再操作されたときには、照明機器Ｌ１〜Ｌ４が個別または一斉に消灯する。
【００１５】
制御部１０はメモリを装備し、ボタンＡ，Ｂに対応する識別信号の組み合わせに関連付けて、複数の照明機器４の動作パターンを記憶している。従って、２つ以上のボタンの操作を組み合わせてより多くの照明機器４の点灯、消灯、減光、増光等を多様に制御することができる。特に、各ボタンに対応する識別信号をコントロールユニット３側の制御部１０で処理しているので、バッテリレスの無線スイッチ２を簡単かつ省電力に構成することができる。
【００１６】
なお、本発明は、照明機器に限定されるものではなく、エアコン、音響機器、画像表示装置などの各種電気機器に適用することもできる。その他、本発明の趣旨を逸脱しない範囲で、各部の構成を適宜に変更して実施することも可能である。
【符号の説明】
【００１７】
１    無線スイッチシステム
２    無線スイッチ
３    コントロールユニット
４    照明機器
５    発電部
６    通信部
１０    制御部
Ａ，Ｂ    ボタン
【図１】
0005753467.tif 000002
【図２】
0005753467.tif 000003